(57)【特許請求の範囲】
【請求項１】
容器体口頸部２上方へ付勢されて突出するステム４の押し下げにより泡又は液体を噴出する噴出器１と、上記容器体口頸部２外面へ筒壁下部を嵌合させた筒壁上端から内向きフランジ状頂壁１２を突設し、フランジ孔へ嵌合筒１３を貫設させた連結筒１０と、上記嵌合筒１３へ貫通させた上端面閉塞の流出筒２１下部を上記ステム４上部外面へ固着嵌合させ、嵌合筒１３から上方へ突出する流出筒２１上部前壁に噴出孔２２を穿設すると共に、該流出筒２１上部前壁を櫛状部形成基板２３に形成し、該櫛状部形成基板の上下方向中間部に上記噴出孔２２を開口させた毛染部材２０と、垂直板部３２aの下端からレバー３１を後方突出したＬ字状板３２のレバー前部に挿通孔３３を穿設し、該挿通孔へ挿通させた流出筒２１下部の左右両側壁へ上記挿通孔３３の左右両側を枢支させると共に、Ｌ字状板３２上部後面を上記櫛状部形成基板２３前面へ当接させた挟持部材３０とを有し、上記嵌合筒１３上端面とＬ字状板３２下面との間にステム押下げ用間隙Ｓを設けた、ことを特徴とする毛染具。
【請求項２】
容器体口頸部２上方へ付勢されて突出するステム４の押し下げにより泡又は液体を噴出する噴出器１と、上記容器体口頸部２外面へ筒壁下部を嵌合させた筒壁上端から内向きフランジ状頂壁４２を介して嵌合筒４３を起立した連結筒４０と、上記嵌合筒４３へ貫通させた上端面閉塞の流出筒５１下部を上記ステム４外面へ固着嵌合させ、嵌合筒４３から上方へ突出する流出筒５１上部後壁外面に左右方向の細溝５２を上下に複数配列して第１髪挟持面５３を形成し、該第１髪挟持面を有する流出筒５１後壁部分に噴出孔５４を穿設した毛染部材５０と、垂直板部６２aの下端からレバー６１を前方突出したＬ字状板６２のレバー後部に挿通孔６３を穿設し、該挿通孔へ挿通させた上記流出筒５１下部の左右両側壁へ上記挿通孔６３の左右両側を枢支させると共に、Ｌ字状板６２上部前面に左右方向の細溝６５を上下に複数配列して第２髪挟持面６６を形成し、該第２髪挟持面を上記第１髪挟持面５３へ噛合させた挟持部材６０とを有し、上記嵌合筒４３上端面とＬ字状板６２下面との間にステム押下げ用間隙Ｓを設けた、ことを特徴とする毛染具。
【請求項３】
容器体口頸部２上方へ付勢されて突出するステム４の押し下げにより泡又は液体を噴出する噴出器１と、上記容器体口頸部２外面へ筒壁下部を嵌合させた筒壁上端部から肩部を介して嵌合筒７２を垂下した連結筒７０と、上記嵌合筒７２へ挿入させた上端面閉塞の流出筒８１下部を上記ステム４外面へ固着嵌合させ、嵌合筒７２から上方へ突出する流出筒８１上部後壁外面に上下方向の溜凹溝８２を形成すると共に、該溜凹溝を有する流出筒８１後壁部分に噴出孔８３を穿設した毛染部材８０と、垂直板部９２aの下端からレバー９１を前方突出したＬ字状板９２のレバー後部に挿通孔９３を穿設し、該挿通孔へ挿通させた上記流出筒８１下部の左右両側壁へ上記挿通孔９３の左右両側を枢支させると共に、上記溜凹溝８２開口面をＬ字状板９２上部前面で閉塞させた挟持部材９０とを有し、上記嵌合筒７２上端面とＬ字状板９２下面との間にステム押下げ用間隙Ｓを設けた、ことを特徴とする毛染具。
【請求項４】
上記溜凹溝８２の横断面形状と縦断面形状との、それぞれを前方湾曲の円弧形状に形成すると共に、上記噴出孔８３を上下方向に複数配列した、ことを特徴とする請求項３記載の毛染具。
【請求項５】
上記挟持部材９０を毛染部材８０から離隔させる方向へ付勢した、ことを特徴とする請求項３又は４記載の毛染具。
【請求項６】
上記溜凹溝８２を形成する流出筒８１後壁外面又は上記Ｌ字状板９２上部前面に左右方向の髪挟持溝９７を上下方向に複数形成した、ことを特徴とする請求項３、４又は５記載の毛染具。
【発明の詳細な説明】
【０００１】
【発明の属する技術分野】
本発明は毛染めに使用する毛染具に関する。
【０００２】
【従来の技術】
例えば、特開平９−１００３７号に示すように、エアゾール缶上部へ周壁を嵌合させて整髪部材を起立させ、かつエアゾール缶頂壁を貫通して起立するステムと整髪部材の周壁上端から起立する流出筒とを連通する筒部に付設した押釦を、整髪部材周壁に穿設した窓から突設し、押釦操作によりエアゾール缶内整髪料を流出筒前面の整髪部へ供給する整髪具が知られている。
しかし、毛染具では毛染剤が入った容器に単にブラシを装着させているに過ぎないものが多い。
【０００３】
【発明が解決しようとする課題】
上記従来の毛染具では毛染剤のブラシへの供給は、容器体倒立により容器体内液体をブラシへ流下させることにより行うため供給量が少なく、従って、毛染する髪の量が多い場合には時間がかかり面倒であった。
また、部分染毛の場合、毛染剤が他の髪に付着しないようにする必要があり、このため上記従来例では一方の手で毛染具を、他方の手で他の髪から分離させた染毛すべき髪を、それぞれ保持しなければならず両手を要するため面倒であった。
【０００４】
請求項１乃至３記載の毛染具は、ステム押下げにより泡等を噴出する噴出器を利用することにより、容器体を倒立させることなく、しかも一時に多量の毛染剤を供給可能にすることにより毛染に要する時間を短縮化し、かつ、片手での挟持部材の押下げによりステム操作と髪の挟持との双方を同時可能として毛染をより一層容易にしようとするものである。
【０００５】
請求項４記載の毛染具は、上記請求項３記載の毛染具が有する解決課題を有するほか、毛染部材の溜凹溝を円弧状に形成して角部を無くすことにより、毛染剤の塗布効率の向上を図るものである。
【０００６】
請求項５記載の毛染具は、上記請求項３及び４記載の毛染具が有する解決課題を有するほか、挟持部材を毛染部材から離隔させる方向へ付勢させて両部材間に間隔を保持させ、これによって両部材間へ髪を通すことを容易にするものである。
【０００７】
請求項６記載の毛染具は、上記請求項３乃至４記載の毛染具が有する解決課題を有するほか、流出筒又はＬ字状板に髪挟持溝を形成して髪を各髪挟持溝に挟持させることにより、髪を挟持部材と毛染部材との間に均一に配置させて毛染剤の塗布効率の向上を図るものである。
【０００８】
【課題を解決するための手段】
第１の手段として、容器体口頸部２上方へ付勢されて突出するステム４の押し下げにより泡又は液体を噴出する噴出器１と、上記容器体口頸部２外面へ筒壁下部を嵌合させた筒壁上端から内向きフランジ状頂壁１２を突設し、フランジ孔へ嵌合筒１３を貫設させた連結筒１０と、上記嵌合筒１３へ貫通させた上端面閉塞の流出筒２１下部を上記ステム４上部外面へ固着嵌合させ、嵌合筒１３から上方へ突出する流出筒２１上部前壁に噴出孔２２を穿設すると共に、該流出筒２１上部前壁を櫛状部形成基板２３に形成し、該櫛状部形成基板の上下方向中間部に上記噴出孔２２を開口させた毛染部材２０と、垂直板部３２aの下端からレバー３１を後方突出したＬ字状板３２のレバー前部に挿通孔３３を穿設し、該挿通孔へ挿通させた流出筒２１下部の左右両側壁へ上記挿通孔３３の左右両側を枢支させると共に、Ｌ字状板３２上部後面を上記櫛状部形成基板２３前面へ当接させた挟持部材３０とを有し、上記嵌合筒１３上端面とＬ字状板３２下面との間にステム押下げ用間隙Ｓを設けた。
【０００９】
第２の手段として、容器体口頸部２上方へ付勢されて突出するステム４の押し下げにより泡又は液体を噴出する噴出器１と、上記容器体口頸部２外面へ筒壁下部を嵌合させた筒壁上端から内向きフランジ状頂壁４２を介して嵌合筒４３を起立した連結筒４０と、上記嵌合筒４３へ貫通させた上端面閉塞の流出筒５１下部を上記ステム４外面へ固着嵌合させ、嵌合筒４３から上方へ突出する流出筒５１上部後壁外面に左右方向の細溝５２を上下に複数配列して第１髪挟持面５３を形成し、該第１髪挟持面を有する流出筒５１後壁部分に噴出孔５４を穿設した毛染部材５０と、垂直板部６２aの下端からレバー６１を前方突出したＬ字状板６２のレバー後部に挿通孔６３を穿設し、該挿通孔へ挿通させた上記流出筒５１下部の左右両側壁へ上記挿通孔６３の左右両側を枢支させると共に、Ｌ字状板６２上部前面に左右方向の細溝６５を上下に複数配列して第２髪挟持面６６を形成し、該第２髪挟持面を上記第１髪挟持面５３へ噛合させた挟持部材６０とを有し、上記嵌合筒４３上端面とＬ字状板６２下面との間にステム押下げ用間隙Ｓを設けた。
【００１０】
第３の手段として、容器体口頸部２上方へ付勢されて突出するステム４の押し下げにより泡又は液体を噴出する噴出器１と、上記容器体口頸部２外面へ筒壁下部を嵌合させた筒壁上端部から肩部を介して嵌合筒７２を垂下した連結筒７０と、上記嵌合筒７２へ挿入させた上端面閉塞の流出筒８１下部を上記ステム４外面へ固着嵌合させ、嵌合筒７２から上方へ突出する流出筒８１上部後壁外面に上下方向の溜凹溝８２を形成すると共に、該溜凹溝を有する流出筒８１後壁部分に噴出孔８３を穿設した毛染部材８０と、垂直板部９２aの下端からレバー９１を前方突出したＬ字状板９２のレバー後部に挿通孔９３を穿設し、該挿通孔へ挿通させた上記流出筒８１下部の左右両側壁へ上記挿通孔９３の左右両側を枢支させると共に、上記溜凹溝８２開口面をＬ字状板９２上部前面で閉塞させた挟持部材９０とを有し、上記嵌合筒７２上端面とＬ字状板９２下面との間にステム押下げ用間隙Ｓを設けた。
【００１１】
第４の手段として、上記第３の手段を有すると共に、上記溜凹溝８２の横断面形状と縦断面形状との、それぞれを前方湾曲の円弧形状に形成すると共に、上記噴出孔８３を上下方向に複数配列した。
【００１２】
第５の手段として、上記第３及び第４の手段を有すると共に、上記挟持部材９０を毛染部材８０から離隔させる方向へ付勢した。
【００１３】
第６の手段として、上記第３、第４及び第５の手段を有すると共に、上記溜凹溝８２を形成する流出筒８１後壁外面又は上記Ｌ字状板９２上部前面に左右方向の髪挟持溝９７を上下方向に複数形成した。
【００１４】
【発明の実施の形態】
以下、本発明の実施形態を図面を参照しながら説明する。
図１乃至図４は請求項１記載の毛染具を示す。同図において、１は、例えば、実開昭６３−２５１７０号に記載されているように公知のエアゾール式泡噴出器で、該エアゾール式泡噴出器は、周壁上端部から肩部を介して口頸部２を起立する容器体３頂壁を貫通させて、かつ上方付勢させてステム４を押下げ可能に起立する。該ステム下端部には、ステム押し下げにより開弁し、かつ上昇により閉弁する吐出弁が設けてあり、開弁により、容器体３内で液面加圧されている毛染剤がステム４を通って吐出されるものである。
【００１５】
噴出器１としては、上記エアゾール式泡噴出器に限らず、例えば、実開昭６３−６０６９号公報に記載されているように公知の縦型ポンプ式液体噴出器を用いることもできる。すなわち、該噴出器は、周壁上端部から肩部を介して口頸部２を起立する容器体３内へ垂下させた吸込み弁付きシリンダと、該シリンダへ摺動自在に嵌合させた筒状ピストンと、該筒状ピストンから起立するステム４と、該ステム上端部内面に設けた吐出弁とを有し、ステム４押下げにより筒状ピストンが下降してシリンダ内の毛染剤が吐出弁を介してステム４から吐出され、ステム４上昇により吸込み弁が開弁して容器体内の毛染剤がシリンダ内へ吸上げられるものである。なお、縦型ポンプ式液体噴出器は主に毛染剤が高粘度のクリーム状の物質である場合に用いる。
【００１６】
１０は連結筒で、容器体３肩部上面へ周壁１１下端を載置させると共に、周壁１１上端から内向きフランジ状頂壁１２を突設し、フランジ孔へ嵌合筒１３を貫設させる。一方、周壁１１上端内面からは支持筒１４を垂下し、該支持筒下部を容器体口頸部２外面へ嵌合させると共に、支持筒１４下端内面に係合突条１５を周設して該係合突条を容器体口頸部２下端へ係合させている。１６は嵌合筒１３内面に縦設した係合凹溝、１７は支持筒１４内面に縦設したリブで、口頸部２上面へ当接させている。
【００１７】
２０は毛染部材で、嵌合筒１３へ貫通させた上端面閉塞の流出筒２１下端部内面を大内径部に形成して、該大内径部をステム４上部外面へ固着嵌合させる。一方、嵌合筒１３から上方へ突出する流出筒２１上端部前壁に噴出孔２２を穿設すると共に、流出筒２１上部前壁を左右へ拡幅すると共に、上方へ延長して櫛状部形成基板２３に形成する。
【００１８】
そして、該櫛状部基板２３前面に多数の櫛歯２４を上下左右に配列して櫛状部２５を形成し、該櫛状部の上下方向中間部に噴出孔２２を開口させる。さらに、流出筒２１下部の左右両側壁部分から軸２６を左右方向へ突設する。２７は流出筒２１下部外面へ縦設した係合突条で、係合凹溝１６へ係合させることにより流出筒２１を回動不能にしている。
【００１９】
３０は挟持部材で、下端からレバー３１を後方突設したＬ字状板３２のレバー３１前部に挿通孔３３を穿設する共に、該挿通孔の左右両側面を側壁３４で閉塞し、該側壁内面に軸孔３５を形成する。そして、挿通孔３３へ挿通させた流出筒２１下部から突出する左右の軸２６を軸孔３５へ前後方向へ揺動自在に軸着させると共に、Ｌ字状板３２上部を左右に拡幅して挟持部３６に形成し、該挟持部を櫛状部２５前面へ当接させる。なお、嵌合筒１３上端面とレバー３１下面との間にステム押下げ用間隙Ｓを設ける。
【００２０】
次に本実施形態の作用について説明する。
毛染をするには図１に示す挟持状態から挟持部材３０を前方へ揺動させて、図４に示すように毛染部材２０から離隔させ、毛染部材２０と挟持部材３０との両部材間に毛染すべき髪を通した後、レバー３１を押し下げればよく、すると挟持部材３０が後方へ揺動して挟持部３６と櫛状部２５との間に髪を挟持させる。
【００２１】
レバー３１の押し下げにより同時にステム４が押し下げられて毛染剤がステム４から流出筒２１及び噴出孔２２を経て櫛状部２５へ供給される。
毛染終了後はレバー３１を解放すればよく、これによってステム４が上昇するため毛染剤の供給が停止する。
【００２２】
図５乃至図８は請求項２記載の毛染具を示す。同図に示す噴出器１は図１乃至図４に示す上記第１の実施形態に係る噴出器と同一の構成であるから、同一の符号を用いてその説明を省略する。
【００２３】
４０は連結筒で、容器体口頸部２外面へ筒壁４１下部を嵌合させた筒壁４１上端から内向きフランジ状頂壁４２を突設し、該内向きフランジ状頂壁のフランジ孔へ嵌合筒４３を貫設させる。
さらに、筒壁４１下端内面に係合突条４４を周設して該係合突条を容器体口頸部２下端へ係合させる。４５は筒壁４１内面に縦設したリブで、口頸部２上面へ当接させている。４６は嵌合筒４３内面に周設した規制突条である。
【００２４】
５０は毛染部材で、嵌合筒４３へ貫通させた上端面閉塞の流出筒５１下端部内面を大内径部に形成して、該大内径部をステム４上部外面へ固着嵌合させる。一方、嵌合筒４３から上方へ突出する流出筒５１上部後壁外面に左右方向の細溝５２を上下に多数配列して第１髪挟持面５３を形成し、該第１髪挟持面を有する流出筒５１後壁部分に複数の噴出孔５４を上下に穿設する。さらに、流出筒５１下部の左右両側壁部分から軸５５を左右方向へ突設すると共に、該軸よりも下方筒壁部分外面を小外径部にして下向段部５６を形成する。該下向段部は流出筒５１下降により規制突条４６上面へ係合可能であり、流出筒５１は規制突条４６との係合により下降を停止する。
【００２５】
６０は挟持部材で、下端からレバー６１を前方突設したＬ字状板６２のレバー６１後部に挿通孔６３を穿設する共に、該挿通孔の左右両内側面に軸孔６４を形成する。そして、挿通孔６３へ挿通させた流出筒５１下部から突出する左右の軸５５を軸孔６４へ軸着させることによりＬ字状板６２を前後方向へ揺動自在に枢支させる。また、Ｌ字状板６２の上部前面に左右方向の細溝６５を上下に複数配列して第２髪挟持面６６を形成し、細溝５２、６５を介して第２髪挟持面６６を第１髪挟持面５３へ噛合させる。なお、嵌合筒４３上端面とレバー６１下面との間にステム押下げ用間隙Ｓを設ける。
なお、本実施形態の作用は第１の実施形態とほぼ同様であるのでその説明を省略する。
【００２６】
図９乃至図１２は請求項３記載の毛染具を示す。同図に示す噴出器１は図１乃至図４に示す上記第１の実施形態に係る噴出器と同一の構成であるから、同一の符号を用いてその説明を省略する。
【００２７】
７０は連結筒で、容器体口頸部２外面へ筒壁７１下部を嵌合させた筒壁７１上端部から肩部を介して嵌合筒７２を垂下する。さらに、筒壁７１下端内面に係合突条７３を周設して該係合突条を容器体口頸部２下端へ係合させる。７４は筒壁７１内面に縦設したリブで、口頸部２上面へ当接させている。
【００２８】
８０は毛染部材で、嵌合筒７２へ挿入させた上端面閉塞の流出筒８１下端部をステム４外面へ固着嵌合させ、嵌合筒７２から上方へ突出する流出筒上部後壁外面に上下方向の溜凹溝８２を形成する。請求項４記載のように、該溜凹溝の縦断面形状は図９に示すように前方湾曲の円弧形状に形成すると共に、横断面形状も図１１に示すように前方湾曲の円弧形状に形成する。なお、溜凹溝８２の縦断面形状は、上記に限らず図１４に示すように前方湾曲の円弧形状低面中央部を平坦にしたものでもよい。そして、溜凹溝８２を有する流出筒８１後壁部分に噴出孔８３を上下方向に複数配列する。さらに、流出筒８１下部の左右両側壁部分から軸８４を左右方向へ突設する。
【００２９】
９０は挟持部材で、下端からレバー９１を前方突出したＬ字状板９２のレバー９１後部に挿通孔９３を穿設し、該挿通孔の左右両内側面に軸孔９４を形成する。そして、挿通孔９３へ挿通させた流出筒８１下部から突出する左右の軸８４を軸孔９４へ軸着させることによりＬ字状板９２を前後方向へ揺動自在に枢支させると共に、溜凹溝８２開口面をＬ字状板９２上部前面で閉塞させる。なお、嵌合筒７２上端面とレバー９１下面との間にステム押下げ用間隙Ｓを設ける
【００３０】
図１３及び１４は請求項５記載の発明を示すもので、ねじりコイルばね９６を軸９５へ装着させることによりＬ字状板９２を流出筒８１から離隔させる方向へ付勢させている。本実施形態では毛染する場合はＬ字状板９２と流出筒８１との間に髪を通した後、ねじりコイルばね９６の付勢力に抗してＬ字状板９２を反時計方向へ揺動させて流出筒８１へ当接させる。
【００３１】
図１５及び１６は請求項６記載の発明を示すもので、図１５では溜凹溝８２を形成する流出筒８１後壁外面に、図１６ではＬ字状板９２上部前面に、それぞれ左右方向の髪挟持溝９７を上下方向に複数形成している。
なお、本実施形態の作用は第１の実施形態とほぼ同様であるので省略する。
【００３２】
【発明の効果】
請求項１乃至３記載の毛染具は、ステム押下げにより泡等を噴出する噴出器のステムに毛染部材２０を連結させるので、容器体を倒立させることなく、しかも一時に多量の毛染剤を供給することができ、従って、毛染が迅速に行える。
また、レバーを有するＬ字状板を流出筒へ枢支させたので、片手で挟持部材を押し下げるだけでステムの押下げと髪の挟持とを同時に行うことができ、従って、毛染が容易になる。
【００３３】
また、請求項２記載の毛染具は、第１及び第２髪挟持面を櫛歯によることなく細溝で形成するため、構造の簡素化が図れコスト削減が可能になる。
請求項３記載の毛染具は、毛染剤を溜める溜凹溝を形成するので、十分な量の毛染剤が髪にいきわたる。
請求項４記載の毛染具は、毛染部材の溜凹溝を円弧状に形成して角部を無くしたので、毛染剤の塗布効率が向上する。
【００３４】
請求項５記載の毛染具は、挟持部材を毛染部材から離隔させる方向へ付勢させて両部材間に間隔を保持させるようにしたので、両部材間へ髪を通すことが容易になる。
【００３５】
請求項６記載の毛染具は、流出筒又はＬ字状板に髪挟持溝を形成して髪を各髪挟持溝に挟持させるので、挟持部材と毛染部材との間の髪の量をほぼ均一にすることができ、このため毛染剤の塗布効率が向上する。
【図面の簡単な説明】
【図１】請求項１記載の発明に係る毛染具の一部断面図。
【図２】同じく、毛染具の側面図。
【図３】同じく、毛染具の上部を示す正面図。
【図４】同じく、毛染具の一部を示す斜視図。
【図５】請求項２記載の発明に係る毛染具の一部断面図。
【図６】同じく、毛染具の不使用状態を示す一部断面図。
【図７】同じく、図６の平面図。
【図８】同じく、毛染具の一部を示す斜視図。
【図９】請求項３記載の発明に係る毛染具の一部断面図。
【図１０】同じく、図９の平面図。
【図１１】同じく、図９のＸ−Ｘ線に沿う断面図。
【図１２】同じく、毛染具の正面図。
【図１３】請求項５記載の発明に係る毛染具の略示図。
【図１４】同じく、毛染具の一部断面図。
【図１５】同じく、他の実施形態を示す略示図。
【図１６】同じく、さらなる他の実施形態を示す略示図。
【符号の説明】
１  噴出器
２  口頸部
３  容器体
４  ステム
１０  連結筒
１２  フランジ状頂壁
１３  嵌合筒
２０  毛染部材
２１  流出筒
２２  噴出孔
２３  櫛状部形成基板
２５  櫛状部
３０  挟持部材
３１  レバー
３２  Ｌ字状板
３３  挿通孔
４０  連結筒
４２  内向きフランジ状頂壁
４３  嵌合筒
５０  毛染部材
５１  流出筒
５２  細溝
５３  第１髪挟持面
５４  噴出孔
６０  挟持部材
６１  レバー
６２  Ｌ字状板
６３  挿通孔
６５  細孔
６６  第２髪挟持面
７０  連結筒
７２  嵌合筒
８０  毛染部材
８１  流出筒
８２  溜凹溝
８３  噴出孔
９０  挟持部材
９１  レバー
９２  Ｌ字状板
９３  挿通孔
９７  髪挟持溝
Ｓ  ステム押下げ用間隙
【図１】
0003969504.tif 000002
【図２】
0003969504.tif 000003
【図３】
0003969504.tif 000004
【図４】
0003969504.tif 000005
【図５】
0003969504.tif 000006
【図６】
0003969504.tif 000007
【図７】
0003969504.tif 000008
【図８】
0003969504.tif 000009
【図９】
0003969504.tif 000010
【図１０】
0003969504.tif 000011
【図１１】
0003969504.tif 000012
【図１２】
0003969504.tif 000013
【図１３】
0003969504.tif 000014
【図１４】
0003969504.tif 000015
【図１５】
0003969504.tif 000016
【図１６】
0003969504.tif 000017